(57)【要約】【課題】絞り羽根を良好に駆動することができる光量調節装置を提供する。【解決手段】光量調節装置は、被写体からの光が通過する経路に出入りする絞り羽根と、絞り羽根によって開口径が制御される第１の開口部が形成された固定部材と、絞り羽根を間に挟んで固定部材と反対側に位置し、絞り羽根によって開口径が制御される第２の開口部が形成されるとともに絞り羽根を駆動する駆動リングと、固定部材または駆動リングの少なくとも一方に設けられていて、絞り羽根の開口径を制御する際に絞り羽根と当接する摺動部と、を具備する。摺動部は、第１および第２の開口部の少なくとも一方の開口端を含んで光軸方向に突出する円環状に形成された円環状突状部を含む。円環状突状部は、絞り羽根が全開した際に絞り羽根の一端部を支持する。【選択図】図９
2019128455.tif 000002
【特許請求の範囲】
【請求項１】
被写体からの光が通過する経路に出入りする絞り羽根と、
上記絞り羽根によって開口径が制御される第１の開口部が形成された固定部材と、
上記絞り羽根を間に挟んで上記固定部材と反対側に位置し、上記絞り羽根によって開口径が制御される第２の開口部が形成されるとともに上記絞り羽根を駆動する駆動リングと、
上記固定部材または上記駆動リングの少なくとも一方に設けられていて、上記絞り羽根の開口径を制御する際に上記絞り羽根と当接する摺動部と、を具備し、
上記摺動部は、上記第１および第２の開口部の少なくとも一方の開口端を含んで光軸方向に突出する円環状に形成された円環状突状部を含み、当該円環状突状部は上記絞り羽根が全開した際に当該絞り羽根の一端部を支持することを特徴とする光量調節装置。
【請求項２】
上記摺動部は、更に、
上記第１および第２の開口部の少なくとも一方に対して上記固定部材または上記駆動リングの少なくとも一方の外周部側に形成され、上記円環状突状部と光軸方向において同一高さで、上記絞り羽根が全開した際に当該絞り羽根の他端部を支持する外周部側突状部と、
上記円環状突状部と光軸方向において同一高さで、上記絞り羽根が全開した際に、上記円環状突状部と上記外周部側突状部との間で上記絞り羽根を支持する中間突状部と、
を含むことを特徴とする請求項１記載の光量調節装置。
【請求項３】
上記中間突状部は、上記円環状突状部と上記外周部側突状部とに連結されていることを特徴とする請求項２記載の光量調節装置。
【請求項４】
上記中間突状部、上記円環状突状部および上記外周部側突状部は、上記固定部材に形成され、
上記固定部材には更に上記絞り羽根を駆動するためのカムが形成されていて、
上記中間突状部は、上記カムの外周を囲むように形成されていることを特徴とする請求項３記載の光量調節装置。
【請求項５】
上記中間突状部、上記円環状突状部および上記外周部側突状部は、上記駆動リングに形成され、
上記駆動リングには更に上記絞り羽根を駆動するためのカムが形成されていて、
上記中間突状部は、上記カムの外周を囲むように形成されていることを特徴とする請求項３記載の光量調節装置。
【請求項６】
上記カムが形成された上記固定部材または上記駆動リングには、更に複数の孔が形成されていて、
上記中間突状部は、上記固定部材の光軸中心に対する円周方向において、各孔の両側に配置されていることを特徴とする請求項４または５記載の光量調節装置。
【請求項７】
上記円環状突状部は複数個に分割され、その間隔は上記絞り羽根の厚さよりも小さい寸法であることを特徴とする請求項１乃至６のいずれかに記載の光量調節装置。
【請求項８】
光が通過する経路に出入りする複数枚の絞り羽根を有する可変絞りと、
上記経路に沿って上記可変絞りに隣接して配置され、上記絞り羽根によって開口径が制御される開口部を有する固定絞りと、
上記複数枚の絞り羽根の移動方向と交差する方向に延びて上記複数枚の絞り羽根に向けて突出して上記固定絞りの上記開口部の縁に設けられ、上記可変絞りが全開した状態で上記複数枚の絞り羽根の上記開口部側の縁に接触する突状部と、
を有する光量調節装置。
【発明の詳細な説明】
【技術分野】
【０００１】
本発明は、例えば、カメラの交換レンズの絞り装置やシャッターなどの光量調節装置に関する。
【背景技術】
【０００２】
例えば、交換レンズの絞り装置は、被写体からの光を通過させる固定絞り、および固定絞りの開口径を変える複数枚の絞り羽根を備えた可変絞りを有する。複数枚の絞り羽根は、互いに部分的に重ねられた状態で取り付けられるため、開口径を調節する際に絞り羽根同士が摺接する。また、複数枚の絞り羽根は、固定絞りや駆動リングなどの周辺部材にも接触する。このため、複数枚の絞り羽根を備えた絞り装置では、摩擦による静電気が発生しやすい。
【先行技術文献】
【特許文献】
【０００３】
【特許文献１】特開２０１６−１２２０５７号公報
【発明の概要】
【発明が解決しようとする課題】
【０００４】
絞り装置で静電気が発生すると、絞り羽根や周辺部材が帯電し、絞り羽根同士が静電気により吸着したり、絞り羽根が周辺部材に吸着したりする場合がある。この場合、絞り羽根を駆動するモータの負荷が大きくなり、可変絞りの制御が困難になる。このため、絞り羽根に接触する周辺部材の接触面積を小さくするように、周辺部材の絞り羽根に対向する側に絞り羽根を摺接させるためのレールを設けることが一般的とされている。
【０００５】
しかし、絞り羽根に向けて突出したレールを設けると、レールに接触していない絞り羽根の部位が、静電気によって周辺部材に近付く方向に付勢され、この部位で絞り羽根に反りを生じる場合がある。絞り羽根に反りを生じると、モータの負荷が大きくなり、絞り羽根の駆動が困難となる。
【０００６】
本発明は、上記の点に鑑みてなされたもので、絞り羽根を良好に駆動することができる光量調節装置を提供することを目的とする。
【課題を解決するための手段】
【０００７】
本発明の光量調節装置の一態様は、被写体からの光が通過する経路に出入りする絞り羽根と、絞り羽根によって開口径が制御される第１の開口部が形成された固定部材と、絞り羽根を間に挟んで固定部材と反対側に位置し、絞り羽根によって開口径が制御される第２の開口部が形成されるとともに絞り羽根を駆動する駆動リングと、固定部材または駆動リングの少なくとも一方に設けられていて、絞り羽根の開口径を制御する際に絞り羽根と当接する摺動部と、を具備する。摺動部は、第１および第２の開口部の少なくとも一方の開口端を含んで光軸方向に突出する円環状に形成された円環状突状部を含む。円環状突状部は、絞り羽根が全開した際に絞り羽根の一端部を支持する。
【発明の効果】
【０００８】
本発明によれば、絞り羽根を良好に駆動することができる光量調節装置を提供できる。
【図面の簡単な説明】
【０００９】
【図１】図１は、実施形態に係る絞り装置を備えた交換レンズを示す断面図である。
【図２】図２は、図１の絞り装置を分解した分解斜視図である。
【図３】図３は、図１の絞り装置の羽根駆動板を示す正面図である。
【図４】図４は、図３の羽根駆動板を示す背面図である。
【図５】図５は、図３の羽根駆動板を示す側面図である。
【図６】図６は、図１の絞り装置を前方から見た正面図である。
【図７】図７は、図１の絞り装置の羽根押え板を取り除いた構造を後方から見た背面図である。
【図８】図８は、図１の絞り装置の羽根押え板を前方から見た正面図である。
【図９】図９は、図１の絞り装置の要部を示す部分拡大断面図である。
【図１０】図１０は、図９と比較して絞り装置の従来例を示す断面図である。
【発明を実施するための形態】
【００１０】
以下、本発明を実施するための形態について図面を参照して説明する。  
図１は、本発明の光量調節装置の一実施形態に係る絞り装置１０を備えた交換レンズ１００の断面図である。交換レンズ１００は、複数枚のレンズを収容した鏡筒１０１を有する。複数枚のレンズは、交換レンズ１００の光軸Ｏに沿って同軸に設けられている。絞り装置１０は、図示しない被写体からの光を通す経路の開口径を調節して、図示しないカメラ本体の図示しない撮像素子に入射する光の量を制御する。
【００１１】
以下の説明において、図示しないカメラ本体から図示しない被写体に向かう方向を前方と称し、その反対を後方と称する。また、各図において、被写体からの光がカメラ本体の撮像素子に向かう方向を矢印Ｌとして図示する。
【００１２】
図２に示すように、絞り装置１０は、矢印Ｌに沿って前方から後方に向けて、ベース部材２０、羽根駆動板３０（駆動リング）、羽根集合体４０、および羽根押え板５０（固定部材）を重ねて有する。ベース部材２０は、光を通す経路の一部となる円形の開口部２１を有する。ベース部材２０の後方の面には、円環状の収容凹部２２が設けられている。収容凹部２２は、開口部２１の外側に同軸に設けられている。
【００１３】
収容凹部２２は、羽根駆動板３０を回動可能に収容するとともに、羽根集合体４０の複数枚の絞り羽根４１を移動可能に収容する。収容凹部２２の後方の面には、羽根押え板５０が複数本のネジ５２により固定される。羽根押え板５０は、光を通す経路の一部となる円形の開口部５１（第１の開口部）を有する。羽根押え板５０は、ベース部材２０の収容凹部２２内に配置した羽根集合体４０の後方側を押える。
【００１４】
図３は、羽根駆動板３０を前方から見た正面図であり、図４は、羽根駆動板３０を後方から見た背面図であり、図５は、羽根駆動板３０の側面図である。羽根駆動板３０は、光を通す経路の一部となる円形の開口部３１（第２の開口部）を有する。この開口部３１は、ベース部材２０、羽根駆動板３０、羽根押え板５０を重ねて絞り装置１０を組み立てた状態で、ベース部材２０の開口部２１および羽根押え板５０の開口部５１と同軸に重なる。すなわち、３つの開口部２１、３１、５１は、略同じ直径の円形の開口部であり、最も開口径の小さい開口部３１（図９参照）が絞り装置１０の固定絞りとして機能する。
【００１５】
羽根駆動板３０は、その前方の外周近くに、円弧状のラック３２を備えている。ラック３２は、羽根駆動板３０と同じ曲率で湾曲しており、その外周側にギア歯３２ａを有する。一方、ベース部材２０には、羽根駆動板３０を回転させるためのモータ６０（図２）が固定されている。モータ６０の図示しない回転軸には、プーリや歯付ベルトなどを介してピニオンが取り付けられてもよい。
【００１６】
モータ６０は、例えば、ステッピングモータであり、その回転量を高精度にコントロールされる。また、モータ６０は、正逆両方向に回転可能である。羽根駆動板３０を一方向（前方から見て反時計回り方向）に回動させると、開口径が小さくなる方向に羽根集合体４０の複数枚の絞り羽根４１が移動し、羽根駆動板３０を他方向（前方から見て時計回り方向）に回動させると、開口径が大きくなる方向に複数枚の絞り羽根４１が移動する。よって、モータ６０の回転方向および回転量を制御することで、絞り装置１０の開口径を制御することができる。
【００１７】
図６は、絞り装置１０を被写体側から見た正面図である。図６では、複数枚の絞り羽根４１を最大に開いた状態、すなわち絞り装置１０の開口径を最も大きくした状態を示してある。この状態で、羽根集合体４０の複数枚の絞り羽根４１の最内周の縁４１ａは、開口部２１、３１、５１より外側にある。
【００１８】
図４に示すように、羽根駆動板３０の後方の面には、複数本のカム溝３３が設けられている。本実施形態では、羽根集合体４０の絞り羽根４１を９枚設けたため、羽根駆動板３０のカム溝３３も９本設けられている。９本のカム溝３３は、羽根駆動板３０の周方向に沿って等ピッチで設けられている。カム溝３３は、図４で時計回り方向に沿って内周側から外周側に向かって傾斜した形状を有する。
【００１９】
また、図２および図７に示すように、ベース部材２０の後方の面の外周縁の近くには、複数枚の絞り羽根４１の回動中心となる複数本の回動軸２３が設けられている。各回動軸２３は、後方に向けて光軸Ｏと平行に延びている。これら９本の回動軸２３は、収容凹部２２の外側で且つ周方向に沿って等間隔で設けられている。図７では、１枚の絞り羽根４１を回動軸２３に取り付けた状態を例示してある。
【００２０】
絞り羽根４１は、羽根駆動板３０の対応するカム溝３３にスライド可能に挿入される図示しないカムピン（図７で符号４３のカムピンの裏にある）、およびベース部材２０の対応する回動軸２３を回動可能に受け入れるピン孔４２を有する。また、絞り羽根４１は、羽根押え板５０に向けて後方に突出したカムピン４３を有する。つまり、絞り羽根４１は、その両面にそれぞれ同じ位置から反対方向に突出した２本のカムピン４３（後方のものだけを図示）を有し、１つのピン孔４２を有している。以下の説明では、各絞り羽根４１の前方に設けたカムピンにも同じ符号４３を付けて説明する。
【００２１】
羽根集合体４０は、図２に示すように、同じ形状の複数枚（本実施形態では９枚）の絞り羽根４１を互いに部分的に重ねて環状に並べたものである。各絞り羽根４１のピン孔４２にベース部材２０の回動軸２３がそれぞれ挿通され、且つ各絞り羽根４１のカムピン４３が上述したように羽根駆動板３０のカム溝３３にそれぞれ挿通されるため、９枚の絞り羽根４１は、羽根駆動板３０の回転方向に沿って等ピッチで且つ同じ姿勢で取り付けられる。各絞り羽根４１は、回動軸２３を中心にして回動することで、被写体からの光が通過する経路に出入りする。
【００２２】
図８に示すように、羽根押え板５０の前方の面には、それぞれ対応する絞り羽根４１の後方のカムピン４３をスライド可能に挿通する複数本のカム溝５３が設けられている。本実施形態では、羽根集合体４０の絞り羽根４１を９枚設けたため、羽根押え板５０のカム溝５３も９本設けられている。９本のカム溝５３は、羽根押え板５０の周方向に沿って等ピッチで設けられている。
【００２３】
また、羽根押え板５０の前方の面の外周縁の近くには、ベース部材２０のそれぞれ対応する回動軸２３を挿通するピン受穴５４が設けられている。これら９つのピン受穴５４は、羽根押え板５０の周方向に沿って等間隔で設けられている。各カム溝５３は、対応するピン受穴５４を中心とした円弧状に設けられている。
【００２４】
上記構造の絞り装置１０を駆動する場合、モータ６０を付勢して羽根駆動板３０を所望する方向に回動させる。羽根駆動板３０が回動すると、羽根駆動板３０の複数のカム溝３３に沿って各絞り羽根４１のカムピン４３がスライドし、カムピン４３が羽根駆動板３０の中心に向かう方向或いは外周に向かう方向に移動する。カムピン４３の移動方向は、モータ６０の回転方向によって変わる。
【００２５】
各絞り羽根４１のカムピン４３が羽根駆動板３０の径方向に移動すると、各絞り羽根４１が回動軸２３を中心に回動する。例えば、絞り装置１０を前方から見て羽根駆動板３０を時計回りに回動させると、各絞り羽根４１のカムピン４３が径方向外側に移動し、各絞り羽根４１が回動軸２３を中心に開口部を塞ぐ方向に回動する。逆に、絞り装置１０を前方から見て羽根駆動板３０を反時計回りに回動させると、各絞り羽根４１のカムピン４３が径方向内側に移動し、各絞り羽根４１が回動軸２３を中心に開口部を開く方向に回動する。
【００２６】
羽根集合体４０の複数枚の絞り羽根４１は、互いに重なった状態で移動（回動）するため、互いに摺接して擦り合わされる。また、複数の絞り羽根４１は、その回動の途中で、その周辺部材、すなわち羽根駆動板３０や羽根押え板５０に接触する。このため、複数枚の絞り羽根４１を有する絞り装置１０では、部材同士の摺接による摩擦により静電気が発生し易い。
【００２７】
絞り装置１０で静電気が発生すると、絞り羽根４１が帯電し、絞り羽根４１同士が静電気により吸着したり、絞り羽根と周辺部材が静電気により吸着したりする場合がある。この場合、絞り羽根４１の移動が困難になり、モータ６０にかかる負荷が大きくなり、正常な絞り制御ができなくなる可能性がある。例えば、このような場合、絞り羽根４１の停止位置精度が低くなり、絞り値を正常な値に制御することが難しくなる。
【００２８】
このため、本実施形態では、羽根集合体４０の複数枚の絞り羽根４１に接触する可能性がある羽根駆動板３０の後方の面（図４）、および羽根押え板５０の前方の面（図８）に、絞り羽根４１との間の接触面積を小さくするための摺動部７０を設けた。摺動部７０は、羽根駆動板３０の後方の面から羽根集合体４０に向けて突出したリブ状の突起であり、また、羽根押え板５０の前方の面から羽根集合体４０に向けて突出したリブ状の突起である。絞り羽根４１との間の接触面積を小さくするため、摺動部７０の突出端の断面形状は、凸状であることが望ましい。複数枚の絞り羽根４１は、その両面を、摺動部７０の突出端に接触（当接）させつつ移動する。
【００２９】
図４に示すように、羽根駆動板３０の後方の面に設けた摺動部７０は、円環状突状部７１、外周部側突状部７２、および中間突状部７３を含む。円環状突状部７１、外周部側突状部７２、および中間突状部７３は、羽根駆動板３０の後方の面に沿って繋がって（連結して）おり、羽根駆動板３０の後方の面から同じ高さで突出している。或いは、円環状突状部７１は、外周部側突状部７２および中間突状部７３よりわずかに突出高さが高い部分を有してもよい。
【００３０】
円環状突状部７１は、羽根駆動板３０の開口部３１の縁に設けられ、開口端を含んで光軸Ｏ方向に突出する円環状に形成されている。円環状突状部７１は、絞り装置１０の開口径を最も大きくする位置に複数枚の絞り羽根４１を回動させた状態（図６および図７の状態）で、各絞り羽根４１の開口部３１側の縁４１ａ、すなわち各絞り羽根４１の光軸Ｏに近い一端部４１ａ（図７）に接触することができる位置に配置されている。
【００３１】
円環状突状部７１は、必ずしも円環状である必要はなく、周方向の一部が分断していたり、複数個に分割されていたりしてもよい。この場合、絞り羽根４１の縁が移動の際にこの分割部位にひっかからないように、例えば、その間隔を絞り羽根４１の厚さより小さくすればよい。或いは、円環状突状部７１は、角数の比較的多い正多角形であってもよい。いずれにしても、円環状突状部７１は、全開の位置に回動した絞り羽根４１の内周側の縁４１ａに接触して支えることのできるものであればよい。
【００３２】
また、円環状突状部７１は、必ずしも開口部３１の縁に無くても良い。設計上では、開口部３１の縁に円環状突状部７１を設けたとしても、例えば羽根駆動板３０の製作時における誤差により開口部３１の縁ちょうどに円環状突状部７１を設けることができない場合も考えられる。本明細書および特許請求の範囲においては、このような誤差に基づくズレを有する場合も、開口部３１の縁に円環状突状部７１を設けたこととする。
【００３３】
また、通常、羽根駆動板３０の開口部３１により規定される固定絞りの開口径に対し、羽根集合体４０の複数枚の絞り羽根４１を全開にしたときの可変絞りの最大の開口径はわずかに大きく設計されている。このため、円環状突状部７１を開口部３１の縁よりわずかに外側に設けたとしても、全開にした絞り羽根４１の縁４１ａを当該円環状突状部７１で支えることができる。
【００３４】
図９は、本実施形態の絞り装置１０の要部を部分的に拡大した断面図である。図９でも、開口径を最大にした状態の絞り羽根４１を図示してある。これによると、全開にした絞り羽根４１の内周側の縁４１ａが、羽根駆動板３０の開口部３１の縁に設けた円環状突状部７１に対向しているのがわかる。理想的には、図９に示すように、絞り羽根４１は、羽根駆動板３０および羽根押え板５０に対して非接触状態で移動することが望ましい。しかし、移動の途中で絞り羽根４１が羽根駆動板３０や羽根押え板５０に接触する場合がある。
【００３５】
図４に戻って、摺動部７０の外周側突状部７２は、羽根駆動板３０の外周縁に沿って光軸Ｏ方向に突出する円環状に設けられている。この外周側突状部７２も、上述した円環状突状部７１と同様に、必ずしも外周縁に設ける必要はなく、円環状である必要もない。外周側突状部７２は、回動する各絞り羽根４１に摺接して絞り羽根４１の移動をガイドするとともに、各絞り羽根４１が開口部を全開にする位置に回動した状態で、各絞り羽根４１の他端部を支持する位置に配置されている。
【００３６】
中間突状部７３は、上述した円環状突状部７１および外周側突状部７２の間で、回動する各絞り羽根４１に接触して絞り羽根４１の移動をガイドする。中間突状部７３は、羽根駆動板３０の複数のカム溝３３のそれぞれに対応して複数（本実施形態では９固）設けられている。より具体的には、各中間突状部７３は、対応するカム溝の外周縁を囲むように設けられている。これにより、絞り羽根４１のエッジが中間突状部７３に引っ掛かり難くすることができ、絞り羽根４１の移動をスムーズにできる。
【００３７】
中間突状部７３は、絞り羽根４１の移動方向（カム溝３３が延びた方向）に沿って設けられているため、中間突状部７３と絞り羽根４１との間の接触面積を小さくすることができ、両者の間の摩擦抵抗を少なくすることができ、絞り羽根４１の移動を良好にできる。通常は、このように、絞り羽根４１の移動方向に沿って摺動部７０を設ける。
【００３８】
これに対し、開口部３１の縁に設けた円環状突状部７１は、各絞り羽根４１の移動方向と交差する方向に延びており、移動中の絞り羽根４１と円環状突状部７１との間の接触面積が比較的大きくなり、両者の間の摩擦抵抗を十分に小さくすることを妨げている。しかし、円環状突状部７１は、絞り羽根４１を全開にした状態で、開口部３１の縁に位置する各絞り羽根４１の縁４１ａに接触して支えることができるため、各絞り羽根４１のこの部位における反りを防止することができる。
【００３９】
つまり、本実施形態のように、絞り羽根４１に接触する摺動部７０を設けると、絞り羽根４１の移動をスムーズにできる反面、摺動部７０が無い位置で、摩擦帯電による静電気によって絞り羽根４１が羽根駆動板３０に引き寄せられる。このように、摺動部７０が無い部位で絞り羽根４１に羽根駆動板３０に向かう吸着力が作用すると、摺動部７０により一部が支えられた絞り羽根４１に反りを生じてしまう可能性がある。
【００４０】
仮に、図１０に示すように、羽根駆動板３０の開口部３１の縁に円環状突状部７１を設ける代わりに、開口部３１から外側に離間した位置に環状の突状部７７を設けた場合、突状部７７で支えた絞り羽根４１の縁４１ａが突状部７７より開口部３１側で、静電気により羽根駆動板３０に近付く方向に湾曲する。つまり、開口部３１の縁に円環状突状部７１を設けない場合、絞りを全開にする位置に絞り羽根４１を配置した状態で、絞り羽根４１の縁４１ａに反りを生じてしまう可能性がある。
【００４１】
このため、本実施形態では、反りを生じる可能性のある部位に、絞り羽根４１に対向する円環状突状部７１を設けた。これにより、絞り羽根４１の反りを防止することができ、絞り羽根４１の移動をスムーズにすることができる。これに対し、例えば、図１０に示すように、絞り羽根４１に反りを生じてしまった場合、絞り羽根４１が羽根駆動板３０や羽根押え板５０に接触し易くなり、絞り羽根４１の移動が妨げられてしまう。
【００４２】
一方、図８に示すように、羽根押え板５０に設けた摺動部７０は、円環状突状部７４、中間突状部７５、および中間突状部７６を含む。比較的長い中間突状部７５と円環状突状部７４は、羽根押え板５０の前方の面に沿って繋がって（連結して）いる。円環状突状部７４、中間突状部７５、および中間突状部７６は、羽根押え板５０の前方の面から同じ高さで突出している。或いは、円環状突状部７４は、中間突状部７５、７６よりわずかに突出高さが高い部分を有してもよい。
【００４３】
円環状突状部７４は、羽根押え板５０の開口部５１の縁に設けられ、開口端を含んで光軸Ｏ方向に突出する円環状に形成されている。円環状突状部７４は、絞り装置１０の開口径を最も大きくする位置に複数枚の絞り羽根４１を回動させた状態（図６および図７の状態）で、各絞り羽根４１の開口部５１側の縁４１ａ、すなわち各絞り羽根４１の光軸Ｏに近い一端部４１ａ（図７）に接触する位置に配置されている。
【００４４】
円環状突状部７４は、必ずしも円環状である必要はなく、周方向の一部が分断していたり、複数個に分割されていたりしてもよい。この場合、絞り羽根４１の縁が移動の際にこの分割部位にひっかからないように、例えば、その間隔を絞り羽根４１の厚さより小さくすればよい。或いは、円環状突状部７４は、角数の比較的多い正多角形であってもよい。いずれにしても、円環状突状部７４は、全開の位置に回動した絞り羽根４１の内周側の縁４１ａに接触して支えることのできるものであればよい。
【００４５】
また、円環状突状部７４は、必ずしも開口部５１の縁に無くても良い。設計上では、開口部５１の縁に円環状突状部７４を設けたとしても、例えば羽根押え板５０の製作時における誤差により開口部５１の縁ちょうどに円環状突状部７４を設けることができない場合も考えられる。本明細書および特許請求の範囲においては、このような誤差に基づくズレを有する場合も、開口部５１の縁に円環状突状部７４を設けたこととする。
【００４６】
また、通常、羽根押え板５０の開口部５１により規定される固定絞りの開口径に対し、羽根集合体４０の複数枚の絞り羽根４１を全開にしたときの可変絞りの最大の開口径はわずかに大きく設計されている。このため、円環状突状部７４を開口部５１の縁よりわずかに外側に設けたとしても、全開にした絞り羽根４１の縁４１ａを当該円環状突状部７４で支えることができる。図９に示すように、全開にした絞り羽根４１の内周側の縁４１ａが、羽根押え板５０の開口部５１の縁に設けた円環状突状部７４に対向しているのがわかる。
【００４７】
中間突状部７５、７６は、それぞれ対応するピン受穴５４を中心とした円弧状に設けられている。つまり、中間突状部７５、７６は、絞り羽根４１の枚数に合わせて９組設けられている。中間突状部７５、７６は、回動する各絞り羽根４１に接触して絞り羽根４１の移動をガイドする。
【００４８】
より具体的には、短い方の中間突状部７６は、ピン受穴５４に近接してカム溝５３との間に配置されている。また、長い方の中間突状部７５は、短い方の中間突状部７６との間にカム溝５３を挟んで反対側に設けられている。中間突状部７５、７６は、絞り羽根４１の移動方向に沿って設けられているため、絞り羽根４１との間の接触面積を小さくすることができる。
【００４９】
なお、円環状突状部７４は、上述した羽根駆動板３０の円環状突状部７１と同様に、全開にした絞り羽根４１の内周側の縁４１ａを支えることができるため、絞り羽根４１の内周側の縁４１ａに作用する静電気による吸着力によって反りを生じる不具合を防止することができる。
【００５０】
以上のように、本実施形態によると、摺動部７０によって各絞り羽根４１の移動をスムーズにすることができ、絞り羽根４１に静電気が帯電し難くすることができる。その上、本実施形態によると、羽根駆動板３０の円環状突状部７１および羽根押え板５０の円環状突状部７４によって各絞り羽根４１の内周側の縁４１ａを支えることができるため、絞り羽根４１に静電気が帯電したとしても、絞り羽根４１の縁４１ａに反りを生じることを防止することができる。また、本実施形態によると、絞り羽根４１に静電気が帯電し難くなるため、絞り羽根４１の絞り時の停止位置精度を向上させることができ、絞り値に変化が生じ難くなる。つまり、本実施形態によると、絞り羽根４１を良好に駆動することができる。
【００５１】
なお、本発明は、上述した実施形態に限定されるものではなく、発明の範囲を超えることなく任意に変更可能である。例えば、上述した実施形態では、羽根駆動板３０にカム溝３３を設けて羽根押え板５０にカム溝５３を設けたが、羽根駆動板３０にカム溝５３を設けて羽根押え板５０にカム溝３３を設けてもよい。この場合、摺動部７０も、羽根駆動板３０に設けたものと羽根押え板５０に設けたものを逆にする必要がある。
【００５２】
また、上述した実施形態では、本発明をカメラの交換レンズ１００に組み込まれた絞り装置１０に適用した場合について説明したが、これに限らず、交換レンズ１００に組み込まれたシャッター装置にも本発明を適用することができる。
【符号の説明】
【００５３】
１０…絞り装置、  ２０…ベース部材、  ２１…開口部、  ３０…羽根駆動板、  ３１…開口部、  ４０…羽根集合体、  ４１…絞り羽根、  ４１ａ…縁、  ５０…羽根押え板、５１…開口部、  ６０…モータ、  ７０…摺動部、  ７１…円環状突状部、  ７４…円環状突状部、  １００…交換レンズ、  Ｏ…光軸。
【図１】
2019128455.tif 000003
【図２】
2019128455.tif 000004
【図３】
2019128455.tif 000005
【図４】
2019128455.tif 000006
【図５】
2019128455.tif 000007
【図６】
2019128455.tif 000008
【図７】
2019128455.tif 000009
【図８】
2019128455.tif 000010
【図９】
2019128455.tif 000011
【図１０】
2019128455.tif 000012